(57)【要約】【課題】  産業廃棄物を風力によって効率良く分別し、産業廃棄物のリサイクルに貢献し、かつ大気汚染の恐れもない廃棄物分別装置を提供する。【解決手段】  吸込み用の第１送風機２０と送風用の第２送風機７５を備えた廃棄物の廃棄物の分別室１０の側面に取り付けられ、先端に吸込部７１を備えた吸込み用ダクトホース７０によって構成され、この吸込部７１の先端と第２送風機の送風用ダクトホース７６の先端を廃棄物の運搬装置８５の表面に配置し、運搬装置上で静止状態で運搬されている廃棄物１００を送風用ダクトホース７６によって風力を与えて飛散状態にして、前記吸込部７１で、分別した後吸引して廃棄物の分別室１０へ運ぶ廃棄物分別装置。【選択図】図１
0003159024.tif 000002
【実用新案登録請求の範囲】
【請求項１】
廃棄物を運搬する運搬装置と、前記運搬装置に隣接して設けた廃棄物の分別室と、前記廃棄物の分別室の上部に構成した吸込み用の第１送風機と送風用の第２送風機と、一端を前記廃棄物の分別室の側面に取り付け、他端を前記運搬装置の表面に配置した吸込み用ダクトホースと、一端を前記第２送風機に取り付け、他端を前記吸込み用ダクトホースの先端に隣接して配置した送風用ダクトホースとを備え、
前記第２送風機の風力と第１送風機の吸引力によって、運搬装置上の廃棄物を分別し、軽量の廃棄物を廃棄物の分別室へ運ぶ廃棄物分別装置。
【請求項２】
前記吸込部の先端を、下方に向かって広がった形状としたことを特徴とする請求項１記載の廃棄物分別装置。
【考案の詳細な説明】
【技術分野】
【０００１】
本考案は、送風機の吸引力によって生じる風力を利用して産業廃棄物を効率的に選別する廃棄物分別装置に関するものである。
【背景技術】
【０００２】
家屋やビル等の構造物を取り壊した際等に発生する混合廃棄物は、石や土、コンクリート、ガラス、木材、廃プラスチック、金属等の雑多なものが異なる大きさで含まれている。このような混合廃棄物の種類や大きさ等に応じて分別するために、風力を利用して重量物と軽量物を分別するようにした風力選別機が提案されている。
【０００３】
例えば、特許文献１に示す風力選別機は、混合廃棄物を移送する振動コンベアー（２）と、該振動コンベアーの落下口の下に複数段の送風噴出口（３）を設けてある。また、風力選別した回収資材を収容するコンテナーと前記送風噴出口付近を覆うチャンバー（５）を備え、該チャンバー内を大気圧より僅かに負圧に保つための吸気装置を具備した風力選別機である。
【０００４】
前記特許文献１記載の発明によれば、簡単で確実な選別ができ、作業環境も良好で大気汚染の原因にもならず、極力リサイクルを可能にすることができるとされる。
【先行技術文献】
【特許文献】
【０００５】
【特許文献１】特開２００７−１７５６８３号公報
【０００６】
しかし前記発明によれば、振動コンベアーの落下口の下に送風噴出口（３）を設けて、その風力で落下してくる廃棄物を選別するものであるため、廃棄物の量や質によって選別にばらつきがでることがあると共に、装置が大掛かりとなるなどの問題点があった。
【考案の概要】
【考案が解決しようとする課題】
【０００７】
本考案は、上記課題を解決するために、運搬装置上を静止状態で運搬されている材質の異なる混合物である産業廃棄物を、第２送風機の風力と第１送風機の吸引力とによって効率よく分別すると共に、分別された軽量の廃棄物を分別室に運ぶことができ、粉塵も最終段階で集塵して大気汚染の恐れも少ない廃棄物分別装置を提供することを目的とする。
【課題を解決するための手段】
【０００８】
本考案の要旨とするところは、廃棄物を運搬する運搬装置と、前記運搬装置に隣接して設けた廃棄物の分別室と、前記廃棄物の分別室の上部に構成した吸込み用の第１送風機と送風用の第２送風機と、一端を前記廃棄物の分別室の側面に取り付け、他端を前記運搬装置の表面に配置した吸込み用ダクトホースと、一端を前記第２送風機に取り付け、他端を前記吸込み用ダクトホースの先端に隣接して配置した送風用ダクトホースとを備え、前記第２送風機の風力と第１送風機の吸引力によって、運搬装置上の廃棄物を分別し、軽量の廃棄物を廃棄物の分別室へ運ぶ廃棄物分別装置である。
【０００９】
本考案の要旨とするところは、前記吸込部の先端を、下方に向かって広がった形状とした廃棄物分別装置である。
【考案の効果】
【００１０】
請求項１の考案によれば、送風用の第２送風機の風力、すなわち空気の噴出力と、吸込み用の第１送風機の吸引力により、運搬装置上で静止状態で運搬されている廃棄物を風力を与えて飛散状態にし、吸込み用ダクトホースによって吸引することで分別して、分別した軽量の廃棄物を廃棄物の分別室へ運ぶことができる。
さらに空気を吸引して作業を行うため、空気の流れが一方向となり乱流が発生せず分別精度が良くなり、産業廃棄物のリサイクルに貢献する等の効果を奏する。
【００１１】
請求項２の考案によれば、前記吸込み用ダクトホースの吸込部の先端を、下方に向かって広がった形状としたことで、空気が吸込部に吸引されていくときに、吸込部内で渦巻き状の流れとなってスピードを加速させながら上昇し、この上昇力によって大量の廃棄物が迅速にダクトホースを通って廃棄物の分別室へ運ばれるのである。
【図面の簡単な説明】
【００１２】
【図１】本考案の実施形態１の正面図
【図２】本考案の実施形態１の平面図
【図３】本考案の実施形態１の作動説明図
【図４】本考案の実施形態１の廃棄物の分別室の側面図
【図５】本考案の実施形態１の廃棄物の分別室の一部省略平面図
【考案を実施するための形態】
【００１３】
廃棄物の運搬装置に隣接して廃棄物の分別室を設け、この上部に吸込み用の第１送風機と送風用の第２送風機を取り付ける。
前記廃棄物の分別室の側面に取り付けて、先端の吸込部を前記運搬装置の表面に配置した吸込み用ダクトホースと、前記第２送風機に取り付けて、先端の送風口を前記吸込み用ダクトホースの先端に隣接して配置した送風用ダクトホースとを構成する。
そして、廃棄物の分別室内の上端にミスト発生装置を設けると共に、このミスト発生装置下方にフィルタを取り付ける一方、廃棄物の分別室の底板を開閉可能に構成する。
【００１４】
本考案の実施形態１は図１から図５に示すものである。
本実施形態は、架台９０上に設置した直方体の廃棄物の分別室１０と、吸込み用ダクトホース７０と送風用ダクトホース７６及び前記廃棄物の分別室１０の近傍に設置した廃棄物の運搬装置であるベルトコンベヤ８５等からなる。以下、上記構成を図に基づいて詳しく説明する。
【００１５】
前記廃棄物の分別室１０の天板１２には開口部１６を構成する。この開口部１６の上部の天板上には吸込み用の第１送風機２０を設置する。
さらに廃棄物の分別室１０内の上端で前記開口部１６の下方位置にミスト発生装置１８を設ける。このミスト発生装置１８下方にフィルタ１７を構成する。このフィルタ１７は、開口部１６からの微細な粉塵の排出防止用であるため、廃棄物の分別室１０の上端面全域にわたって構成されている。
【００１６】
前記廃棄物の分別室１０の底板であるデッキ１３は、側板１１ｂの下端に蝶番１４によって開閉自在に取り付けてあり、中央の一側部を外側に延長して突起部１３ａを構成する。
一方、側板１１ｂの表面には前記デッキ１３開閉用のパワーシリンダ１５が設けてあり、このパワーシリンダ１５の先端を、前記デッキ１３の突起部１３ａに固定してある。
【００１７】
廃棄物吸込み装置は、前記廃棄物の分別室１０の上部に備えた吸込み用の第１送風機２０と、先端に吸込部７１を備えた吸込み用ダクトホース７０と、第２送風機７５に連結した送風用ダクトホース７６等からなる。
そして前記吸込部７１の先端をベルトコンベヤ８５の表面近傍に配置すると共に、前記第２送風機７５の送風用ダクトホース７６先端の送風口７８を前記吸込部７１の後方（図１右方）に配置している。
また図３に示すように、吸込み用ダクトホース７０の吸込部７１は、その側板７１ａ、７１ｂ、７１ｃ、７１ｄによって構成されていて、先端に向って広がった形状である。
【００１８】
廃棄物の運搬装置は水平なベルトコンベヤ８５であるため、廃棄物１００はベルトコンベヤ８５の表面に面接触した状態で運搬されるため静止摩擦が働いている。本実施形態では、手選別を行う水平なベルトコンベヤ８５を記載したが、これに限らず傾斜した搬送用のベルトコンベヤも本考案に含まれるものとする。
【００１９】
上記のように構成した実施形態１の作用を説明する。
図１に示すように、産業廃棄物１００をベルトコンベヤ８５後端に投入して、ベルトコンベヤ８５を作動させると、廃棄物１００はベルトコンベヤ８５上で静止状態で、前方矢印方向に進んでいく。
【００２０】
前記第２送風機７５を作動して、送風用ダクトホース７６先端の送風口７８からベルトコンベヤ８５の表面に空気を噴出させて、静止状態の廃棄物１００を吹き上げて動摩擦を生じさせて強制的に動かす。
これと同時に、前記第１送風機２０を作動すると吸込み用ダクトホース７０の中には図１の矢印に示す空気の流れが形成され、吸込み用ダクトホース７０の先端の吸込部７１より、第２送風機７５の送風力と第１送風機２０の吸引力によって分別された軽量の廃棄物と空気が吸引されていく。
【００２１】
このように前記送風用ダクトホース７６の送風口７８から噴出した空気は、ベルトコンベヤ８５の表面に衝突して廃棄物１００を飛散させてから、吸込部７１によって吸引され吸込み用ダクトホース７０内を通って廃棄物の分別室１０に流れていく。
このとき、前記送風口７８から噴出される風力より、吸込部７１の吸引力の方が大きく、かつ送風口７８からの風力が吸込部７１の吸引力を助長するため大きな吸引力が得られるのである。
【００２２】
前記吸込部７１の吸引力によって吸引された軽量の廃棄物は吸込み用ダクトホース７０を通って廃棄物の分別室１０に送られていく。
ここで軽量の廃棄物とは、手で拾えないような３ｍｍ以下の大きさで比重の小さいもの、例えば、木屑、プラスチックなど可燃性のものを指し、また体積が大きく比重の小さい物も指す。後者は、風量の調整によって吸引できるのである、
【００２３】
この状態を図３に基づいて説明すると、吸込み用ダクトホース７０の吸込部７１は下方に向かって広がっているから、ベルトコンベヤ８５の上流側にある送風口７８から噴出した空気は、ベルトコンベヤ８５の表面に衝突してから吸込部７１に吸引されていくときに、吸込部７１内で渦巻き状の流れとなってスピードを加速させながら上昇していく。
この上昇力によって大量の廃棄物１００が迅速に吸込み用ダクトホース７０を通って廃棄物の分別室１０へ運ばれるのである。
【００２４】
一方、ベルトコンベヤ８５によって運ばれてきた重量の廃棄物、例えば、瓦礫、陶磁器、金属等は、吸込部７１の吸引力によって分別された後、吸引されずにそのまま前方に落下して容器８２に収容される。
【００２５】
前記のように、吸込み用ダクトホース７０によって吸引された軽量の廃棄物は、廃棄物の分別室１０へと運ばれていき、フィルタ１７によって外部への流出が阻止されて、廃棄物の分別室１０内を落下してデッキ１３上に溜まっていく。
【００２６】
デッキ１３上の廃棄物の滞留が一定量、例えば１立米に達したら、パワーシリンダ１５を作動して、シリンダを縮短してデッキ１３の突起部１３ａを上昇させて、デッキ１３を下方に開くのである（図４仮想線参照）。これによって、デッキ１３上の廃棄物は、廃棄物の分別室１０の下方に落下し容器８１に収容される。
また、デッキ１３が下方に開くと、前記第１送風機２０は自動的に停止する構成となっている。これによって第１送風機２０の吸引力がなくなるため、この吸引力でフィルタ１７表面に付着していた軽量の廃棄物は自重で落下していくのである。
このように、デッキ１３の開放によって、フィルタ１７の目詰まりを自動的に防げるのである。
【００２７】
図５に示すように、前記開口部１６の周囲にはミスト発生装置１８を設ける。このミスト発生装置１８は、開口部１６の周囲を囲むようにフィルタ１７の上部に水平に配置された、一端を閉鎖したコ字型のパイプ１８ａからなり、このパイプの表面に所定間隔で孔１８ｂ，１８ｂ・・を穿設してある。
使用に際しては、開放端１８ｃから水道水を、２ｋｇ／ｃｍ2の圧力で送り込み、孔１８ｂ，１８ｂ・・から噴出させる。このとき、開口部１６には下方から上方へ空気が流れていて、孔１８ｂ，１８ｂ・・付近では気圧が低くなっているから、水は勢いよく噴出して細かいミスト（霧）となってフィルタ１７の表面に満遍なく散布されていくのである。
このミストは、廃棄物に付着して空気と共に外部に放出され、廃棄物の分別室内に水滴となって付着することはない。
【００２８】
これによって、フィルタ１７を通過した微細な廃棄物つまり粉塵類は、ミストに付着して落下して外部流出が防げるため、大気汚染が防止されるのである。
このように本実施形態によれば、第１送風機２０と第２送風機７５の風力によって効率的な産業廃棄物の分別が迅速に行えると共に、産業廃棄物のリサイクルに貢献し、かつ大気汚染の恐れもない等の効果を奏するのである。
【００２９】
このように本実施形態によれば、廃棄物１００がベルトコンベヤ８５の表面に面接触していて静止摩擦が働いている状態で運搬されている場合、第２送風機７５によって送風口７８から空気を噴出させて廃棄物１００を吹き上げ、かつ第１送風機２０の吸引力によって廃棄物１００を分別し、吸込部７１から分別された軽量の廃棄物を速やかに吸引することができる。
【符号の説明】
【００３０】
１０  廃棄物の分別室
１２  天板
１３  デッキ
１４  蝶番
１５  パワーシリンダ
１６  開口部
１７  フィルタ
１８  ミスト発生装置
２０  第１送風機
７０  吸込み用ダクトホース
７１  吸込部
７５  第２送風機
７６  送風用ダクトホース
７８  送風口
８５  ベルトコンベヤ
１００  廃棄物（産業廃棄物）
【図１】
0003159024.tif 000003
【図２】
0003159024.tif 000004
【図３】
0003159024.tif 000005
【図４】
0003159024.tif 000006
【図５】
0003159024.tif 000007
【手続補正書】
【提出日】平成22年2月19日(2010.2.19)
【手続補正１】
【補正対象書類名】実用新案登録請求の範囲
【補正対象項目名】請求項２
【補正方法】変更
【補正の内容】
【請求項２】
前記吸込み用ダクトホースの先端に、下方に向かって広がった形状の吸込部を構成したことを特徴とする請求項１記載の廃棄物分別装置。
【手続補正２】
【補正対象書類名】明細書
【補正対象項目名】０００９
【補正方法】変更
【補正の内容】
【０００９】
本考案の要旨とするところは、前記吸込み用ダクトホースの先端に、下方に向かって広がった形状の吸込部を構成した廃棄物分別装置である。